(57)【要約】【課題】実施形態の課題は、一層の狭額縁化が可能な照明装置、およびこれを備える液晶表示装置を提供することにある。【解決手段】実施形態に係る照明装置は、出射面と、出射面と交差する複数の側面とを具備し、少なくとも１つの側面が表示領域の内側に位置した導光板ＬＧと、導光板に光を入射する光源装置と、出射面上に配置され表示領域に対向する光学シートＯＳ１と、を備えている。光学シートは、前記少なくとも１つの側面と表示領域の端縁との間の領域を覆う端縁部と、この端縁部に設けられ端縁部の透過率を低減する透過率調整領域ＣＡと、を有している。【選択図】  図５
2019021488.tif 000002
【特許請求の範囲】
【請求項１】
出射面と、前記出射面と交差する複数の側面とを具備し、少なくとも１つの側面が表示領域の内側に位置した導光板と、
前記導光板に光を入射する光源装置と、
前記出射面上に配置され前記表示領域に対向する光学シートと、を備え、
前記光学シートは、前記少なくとも１つの側面と前記表示領域の端縁との間の領域を覆う端縁部と、前記端縁部に設けられ前記端縁部の透過率を低減する透過率調整領域と、を有している照明装置。
【請求項２】
前記透過率調整領域は、前記光学シートの透過率よりも低い透過率を有している請求項１に記載の照明装置。
【請求項３】
前記透過率調整領域は、前記光学シートの中央部側の端から前記光学シートの端縁側の端に向かって、透過率が低下している請求項２に記載の照明装置。
【請求項４】
前記透過率調整領域は、多数のドットを並べたドットパターンを有し、
前記ドットパターンは印刷層である、請求項２又は３に記載の照明装置。
【請求項５】
前記ドットパターンは、前記光学シートの端縁から光学シートの内側に向かってドット密度が低下している請求項４に記載の照明装置。
【請求項６】
前記ドットパターンは、前記光学シートの端縁から光学シートの内側に向かってドット径が減少している請求項５に記載の照明装置。
【請求項７】
前記透過率調整領域は、一定の幅を有するベタの印刷層を有する請求項２又は３に記載の照明装置。
【請求項８】
前記透過率調整領域は、前記光学シートの他の領域のヘイズよりも高いヘイズを有している請求項１に記載の照明装置。
【請求項９】
前記透過率調整領域のヘイズは、前記光学シートの内側の境界から前記光学シートの端縁に向かって徐々に増加している請求項８に記載の照明装置。
【請求項１０】
表示領域を有する液晶パネルと、
前記表示領域に対向して設けられた照明装置と、を備え、
前記照明装置は、
出射面と、前記出射面と交差する複数の側面とを具備し、少なくとも１つの側面が前記表示領域の内側に位置した導光板と、
前記導光板に光を入射する光源装置と、
前記出射面上に設けられ前記表示領域に対向する光学シートと、を備え、
前記光学シートは、少なくとも１つの側面と前記表示領域の端縁との間の領域を覆う端縁部と、前記端縁部の透過率を低減する透過率調整領域と、を有している液晶表示装置。
【発明の詳細な説明】
【技術分野】
【０００１】
本発明の実施形態は、照明装置、およびこれを備える液晶表示装置に関する。
【背景技術】
【０００２】
スマートフォン、タブレットコンピュータ、カーナビゲーションシステム等の表示装置として、液晶表示装置が広く用いられている。一般に、液晶表示装置は、液晶パネルと、この液晶パネルの背面に重ねて配置され液晶パネルを照明する照明装置と、を備えている。バックライト装置は、フレーム（あるいはベゼル）、反射層、導光板（ライトガイド）、光学シート（プリズムシート、拡散シート）、導光板に入射する光を供給する光源装置（光源ユニット）等を有している。光源ユニットは、ＦＰＣ等の配線基板と、配線基板上に実装された複数の光源（例えば、発光ダイオード、ＬＥＤ）とを有している。照明装置は、例えば、両面テープにより、液晶パネルの背面に固定され、所定位置に保持されている。
【先行技術文献】
【特許文献】
【０００３】
【特許文献１】特開平１０−１７０９１９号公報
【特許文献２】特開２０１２−１１９２４７号公報
【発明の概要】
【発明が解決しようとする課題】
【０００４】
近年、液晶表示装置の一層の狭額縁化が望まれている。狭額縁化を図る場合、液晶パネルおよびバックライト装置の狭額縁化とともに、各部品の寸法マージンを小さくする必要がある。この際、液晶パネルあるいは照明装置の表示領域のサイズよりも、導光板のサイズが小さくなる可能性がある。上記の設計の場合、導光板のエッジ部から出射した光により導光板の端縁が異常発光する。これにより、表示領域の額縁周縁部が明るく光ってしまうことがある。
この発明は以上の点に鑑みなされたもので、その課題は、一層の狭額縁化が可能なバックライト装置、およびこれを備える液晶表示装置を提供することにある。
【課題を解決するための手段】
【０００５】
実施形態に係る照明装置は、出射面と、前記出射面と交差する複数の側面とを具備し、少なくとも１つの側面が表示領域の内側に位置した導光板と、前記導光板に光を入射する光源装置と、前記出射面上に配置され前記表示領域に対向する光学シートと、を備えている。前記光学シートは、前記少なくとも１つの側面と前記表示領域の端縁との間の領域を覆う端縁部と、前記端縁部に設けられ前記端縁部の透過率を低減する透過率調整領域と、を有している。
【図面の簡単な説明】
【０００６】
【図１】図１は、第１の実施形態に係る液晶表示装置の表示面側を示す斜視図。
【図２】図２は、前記液晶表示装置の分解斜視図。
【図３】図３は、前記液晶表示装置の照明装置の分解斜視図。
【図４】図４は、図１の線Ａ−Ａに沿った前記液晶表示装置の光源側部分の断面図。
【図５】図５は、図１の線Ｂ−Ｂに沿った前記液晶表示装置の光源と反対側部分の断面図。
【図６】図６は、図５に示す液晶表示装置の反対側部分の輝度分布を、調整領域がある場合と調整領域が無い場合とで比較して示す図。
【図７】図７（ａ）は、照明装置の平面図、図７（ｂ）は、図７（ａ）の一部を拡大して示す平面図。
【図８】図８（ａ）は、第１の実施形態の第１変形例に係る照明装置の平面図、図８（ｂ）は、図８（ａ）の一部を拡大して示す平面図。
【図９】図９は、図１の線Ｃ−Ｃに沿った第２の実施形態に係る液晶表示装置の長辺部の断面図。
【図１０】図１０は、第２の実施形態に係る液晶表示装置の照明装置の平面図。
【図１１】図１１は、図１０の一部を拡大して示す照明装置の平面図。
【図１２】図１２は、第３の実施形態に係る液晶表示装置の断面図。
【図１３】図１３は、第４の実施形態に係る液晶表示装置における照明装置の一部を示す斜視図。
【図１４】図１４は、第４の実施形態に係る照明装置の平面図。
【図１５】図１５は、図１４の一部を拡大して示す照明装置の平面図。
【図１６】図１６は、第４の実施形態の第１変形例に係る照明装置の平面図。
【図１７】図１７は、図１６の一部を拡大して示す照明装置の平面図。
【図１８】図１８は、第１の実施形態の第２変形例に係る照明装置の一部を拡大して示す平面図。
【図１９Ａ】図１９Ａは、第１の実施形態の第３変形例に係る照明装置の一部を拡大して示す平面図。
【図１９Ｂ】図１９Ｂは、第１の実施形態の第４変形例に係る照明装置の一部を拡大して示す平面図。
【図２０】図２０は、第５の実施形態に係る液晶表示装置の一部を示す断面図および光学シートのヘイズの調整例を示す図。
【発明を実施するための形態】
【０００７】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（第１の実施形態）  
図１は、第１の実施形態に係る液晶表示装置の表示面側を示す斜視図、図２は、液晶表示装置の分解斜視図である。  
液晶表示装置１０は、例えばスマートフォン、タブレット端末、携帯電話機、ノートブックタイプＰＣ、携帯型ゲーム機、電子辞書、テレビ装置、カーナビゲーションシステムなどの各種の電子機器に組み込んで使用することができる。
【０００９】
図１および図２に示すように、液晶表示装置１０は、アクティブマトリクス型の液晶表示パネル（液晶パネル）１２と、液晶パネル１２の一方の表面である表示面１２ａに重ねて配置され、表示面１２ａ全体を覆うカバーパネル１４と、液晶パネル１２の他方の表面である背面に対向配置された照明装置２０と、を備えている。
【００１０】
図４は、図１の線Ａ−Ａに沿った液晶表示装置の光源側の断面図、図５は、図１の線Ｂ−Ｂに沿った液晶表示装置の光源と反対側部分の断面図である。図２、図４、図５に示すように、液晶パネル１２は、矩形板状の第１基板ＳＵＢ１と、第１基板ＳＵＢ１に対向配置された矩形板状の第２基板ＳＵＢ２と、第１基板ＳＵＢ１と第２基板ＳＵＢ２との間に保持された液晶層ＬＱと、を備えている。第１基板ＳＵＢ１および第２基板ＳＵＢ２は、それぞれガラス板あるいは樹脂板等の透明な絶縁基板により形成されている。第２基板ＳＵＢ２の周縁部は、枠状のシール材ＳＥにより第１基板ＳＵＢ１に貼り合わされている。第２基板ＳＵＢ２の表面に偏光板ＰＬ２が貼付され、液晶パネル１２の表示面１２ａを形成している。第１基板ＳＵＢ１の表面（液晶パネル１２の背面）に偏光板ＰＬ１が貼付されている。
【００１１】
液晶パネル１２では、表示面１２ａを平面視（液晶パネルの表面の法線方向から当該液晶パネルを視認する状態をいう。以下同様である）した状態で、シール材ＳＥの内側となる領域に矩形状の表示領域（アクティブ領域）ＤＡが設けられている。表示領域ＤＡに画像が表示される。表示領域ＤＡの周囲に、矩形枠状の額縁領域（非表示領域）ＥＤが設けられている。液晶パネル１２は、照明装置２０からの光を表示領域ＤＡに選択的に透過させることで画像を表示する透過表示機能を備えている。
【００１２】
図示した例では、第１基板ＳＵＢ１の短辺側の端部にフレキシブルプリント回路基板（ＦＰＣ）２２が接合され、液晶パネル１２から外方に延出している。ＦＰＣ２２には、液晶パネル１２を駆動するのに必要な信号を供給する信号供給源として、駆動ＩＣチップ２１等の半導体素子が実装されている。
【００１３】
図１および図２に示すように、カバーパネル１４は、例えば、ガラス板製あるいはアクリル系の透明樹脂製であり、矩形板状を呈している。カバーパネル１４は、液晶パネル１２の表示面を全体亘って覆っている。カバーパネル１４の背面（液晶パネル１２側の面、あるいは、観察者に対向する面と反対側となる面）の周縁部に枠状の遮光層ＲＳが形成されている。なお、遮光層ＲＳは、カバーパネル１４の上面（表示面）に形成してもよい。カバーパネル１４の背面（裏面）は、光透過性を有する粘着剤、例えば、光学用透明樹脂からなる粘着シートにより、液晶パネル１２の偏光板ＰＬ２に貼付されている。
本実施形態において、カバーパネル１４の長辺側の両端部は、液晶パネル１２の長辺側の両端縁を僅かに越える位置まで延出している。カバーパネル１４の短辺側の側縁部は、液晶パネル１２の短辺よりも外側に突出している。
【００１４】
図３は、照明装置２０の分解斜視図である。図２ないし図５に示すように、照明装置２０は、矩形状のフレーム１６と、フレーム１６の第２面（下面）ＳＦ２に貼付される反射シートＲＥと、フレーム１６内に配置された複数の光学部材と、光学部材に入射する光を供給する光源ユニット（光源装置）３０と、を備えている。反射シートＲＥは、フレーム１６とほぼ等しい外形寸法（幅、長さ）に形成され、フレーム１６の下面を覆っている。フレーム１６および反射シートＲＥにより、ケース（ベゼル）２３を構成している。
【００１５】
フレーム１６は、例えば、ポリカーボネート等の合成樹脂でモールド成形されている。フレーム１６は、互いに対向する一対の長辺部１６ａ、１６ｂと、互いに対向する一対の短辺部１６ｃ、１６ｄと、を有している。フレーム１６の外形寸法は、液晶パネル１２の外形寸法とほぼ等しく形成されている。  
フレーム１６は、液晶パネル１２側となる第１面（上面）ＳＦ１およびこの第１面ＳＦ１と反対側となる第２面（下面）ＳＦ２を有している。フレーム１６は、第１面ＳＦ１の内周側に形成された一段低い段差部１６ｆを有している。本実施形態において、段差部１６ｆの段差（深さ）は、後述する光学シートＯＳ１、ＯＳ２の２枚の厚さの合計と同程度に形成されている。光源側の短辺部１６ｄの内側縁に複数の凹部１９が設けられている。ケース２３の底を構成する反射シートＲＥの周縁部は、フレーム１６の第２面ＳＦ２に貼付されている。
【００１６】
照明装置２０の光学部材は、フレーム１６内で反射シートＲＥ上に載置された導光板ＬＧ、および導光板ＬＧ上に重ねて配置された複数枚、例えば、２枚の第１光学シートＯＳ１、第２光学シートＯＳ２を有している。  
導光板ＬＧは、透光性を有する樹脂、例えば、アクリル又はポリカーボネート等の透明樹脂により、ほぼ矩形板状に形成されている。導光板ＬＧは、平面視で、表示領域ＤＡとほぼ等しい幅、および、表示領域ＤＡの長さよりも大きな長さを有している。導光板ＬＧは、出射面となる第１主面Ｓ１と、この第１主面Ｓ１の反対側の第２主面Ｓ２と、第１主面Ｓ１と交差して延在する複数の側面と、を有している。本実施形態では、導光板ＬＧの短辺側の一側面ＳＳ１を入射面ＥＦとしている。導光板ＬＧの側面は、光源と反対側の短辺に沿って位置する第２側面ＳＳ２と、導光板ＬＧの一対の長辺に沿って位置する一対の長辺側の第３側面と、を含んでいる。
【００１７】
導光板ＬＧは、第２主面Ｓ２側が反射シートＲＥと対向した状態で、フレーム１６内に配置され、反射シートＲＥ上に載置されている。図４に示すように、導光板ＬＧの入射面ＥＦは、表示領域ＤＡよりも外側、すなわち、額縁領域ＥＤと重なる位置に配置され、フレーム１６の短辺部１６ｄと隙間を置いて対向している。図５に示すように、本実施形態では、導光板ＬＧの光源と反対側の第２側面ＳＳ２は、表示領域ＤＡの端縁よりも表示領域ＤＡの内側に配置されている。第２側面ＳＳ２は、僅かな隙間Ｇを置いて、フレーム１６の短辺部１６ｃに対向している。
このように導光板ＬＧの少なくとも１側面が表示領域ＤＡの内側に位置するように、導光板ＬＧを構成および配置することにより、フレーム１６の幅を縮小し、あるいは、フレーム１６を表示領域ＤＡ側により接近して配置することが可能となる。これにより、照明装置２０および液晶表示装置１０の狭額縁化を図ることが可能となる。
【００１８】
図３および図４に示すように、光源ユニット３０は、帯状のプリント回路基板（ＦＰＣ）３２と、このプリント回路基板３２上に実装された光源と、を備えている。本実施形態によれば、光源として、例えば、点光源である発光ダイオード（ＬＥＤ）３４を所定の間隔で並べたものを用いている。ＬＥＤ３４の各々は、出射面３４ａと出射面３４ａに垂直な実装面３４ｂとを有している。ＬＥＤ３４は、プリント回路基板３２の長手方向（フレーム１６の短辺部１６ｄと平行な方向）に沿って互いに所定の間隔で並んで設けられている。各ＬＥＤ３４の実装面３４ｂがプリント回路基板３２に実装されている。また、プリント回路基板３２は、一側縁から延出した接続端部３２ｃを有している。
【００１９】
プリント回路基板３２の一方の長辺部は、粘着部材、例えば、両面テープ２４ａによりフレーム１６の短辺部１６ｄに貼付され、他方の長辺部は、両面テープ２４ｂにより、導光板ＬＧの第１主面Ｓ１の端部に貼付されている。これにより、複数のＬＥＤ３４は、フレーム１６の短辺部１６ｄと導光板ＬＧの入射面ＥＦとの間に配置され、各ＬＥＤ３４の出射面３４ａは入射面ＥＦに対向あるいは当接している。本実施形態において、ＬＥＤ３４は、短辺部１６ｄの凹部１９内に配置されている。  
なお、光源としては、線光源としての蛍光管や陰極線管を採用することもできる。あるいは、光源として、有機ＥＬからなる光源をきわめて緻密に配置した線光源や面光源を採用することができる。
【００２０】
本実施形態によれば、第１光学シートＯＳ１、第２光学シートＯＳ２として、例えば、ポリエチレンテレフタレート等の合成樹脂で形成された光透過性を有する拡散シートおよびプリズムシートを用いている。図３ないし図５に示すように、第１および第２光学シートＯＳ１、ＯＳ２の各々は、矩形状に形成され、導光板ＬＧの幅よりも僅かに大きい幅、および導光板ＬＧの長さよりも僅かに短い長さに形成されている。これら光学シートＯＳ１、ＯＳ２は、液晶パネル１２の表示領域ＤＡよりも僅かに大きな寸法に形成されている。  
第１光学シートＯＳ１および第２光学シートＯＳ２は、導光板ＬＧの第１主面Ｓ１上に順に重ねて載置されている。第１および第２光学シートＯＳ１、ＯＳ２の光源側の側縁を除く、少なくとも３つの側縁部は、フレーム１６の段差部１６ｆ上に載置されている。図５に示すように、第１および第２光学シートＯＳ１、ＯＳ２の反光源側（短辺側）の端縁部は、導光板ＬＧの第２側面ＳＳ２と表示領域ＤＡの端縁との間の領域、および、第２端面ＳＳ２とフレーム短辺部１６ｃとの間の隙間Ｇを覆っている。第１光学シートＯＳ１および第２光学シートＯＳ２の少なくとも一方の光学シートの上記端縁部に、後述する透過率調整領域（減光領域）が形成されている。  
なお、光学シートは、２枚に限らず、３枚以上あるいは２枚以下の光学シートを用いてもよい。
【００２１】
図２ないし図５に示すように、照明装置２０は、両面テープＴＰ１を備えている。両面テープＴＰ１は、基材と基材の両面に設けられた粘着層とを有している。基材および粘着層の少なくとも一方は、黒色に着色されている。これにより、両面テープＴＰ１は、遮光性を有する遮光テープとしても機能する。両面テープＴＰ１は、枠状に形成されフレーム１６の上面（第１面ＳＦ１）に貼付されている。両面テープＴＰ１は、フレーム１６の外形寸法とほぼ等しい外形寸法を有している。両面テープＴＰ１の一対の長辺部および反光源側の短辺部は、それぞれフレーム１６の長辺部１６ａ、１６ｂ、および短辺部１６ｃの幅とほぼ同一の幅に形成されている。両面テープＴＰ１の光源側の短辺部は、他の辺部よりも幅広に形成されている。これにより、両面テープＴＰ１は、一対の長辺部１６ａ、１６ｂおよび短辺部１６ｃにおいて、上面ＳＦ１、および、第２光学シートＯＳ２の周縁部に貼付されている。また、両面テープＴＰ１の光源側の短辺部は、フレーム１６の短辺部１６ｄの上面ＳＦ１、ＦＰＣ３２、および第２光学シートＯＳ２の端部に貼付されている。なお、両面テープＴＰ１は、両面テープＴＰ２を介してＦＰＣ３２に貼付されている。
【００２２】
照明装置２０は、液晶パネル１２の背面に対向して配置され、両面テープＴＰ１により、第１基板ＳＵＢ１あるいは偏光板ＰＬ１に貼付されている。光源ユニット３０のＦＰＣ３２は、接続端部３２ｃを介してＦＰＣ２２に接続されている（図１、図２参照）。ＦＰＣ２２およびＦＰＣ３２を介してＬＥＤ３４に駆動電流が通電される。ＬＥＤ３４から出射された光は、導光板ＬＧの入射面ＥＦから導光板ＬＧ内に入射し、導光板ＬＧ内を伝播し、或いは反射板で反射され、第１主面（出射面）Ｓ１から液晶パネル１２側に出射される。
【００２３】
図５に示したように、導光板ＬＧの第２側面（反光源側端）ＳＳ２が表示領域ＤＡの内側に配置されている場合、第２側面ＳＳ２から漏れ出る光により表示領域ＤＡの端縁部を明るく光らせる場合がある。そこで、本実施形態によれば、少なくとも一方の光学シート、ここでは、第１光学シートＯＳ１の端縁部に、当該光学シートの透過率を下げるための透過率調整領域（減光領域）ＣＡを設けている。  
図７（ａ）は、照明装置２０を概略的に示す平面図、図７（ｂ）は、照明装置２０の反光源側の端部を拡大して、かつ、第２光学シートを省略して示す平面図である。
【００２４】
図３、図５、図７に示すように、第１光学シートＯＳ１の反光源側の端縁部は、透過率調整領域ＣＡを構成している。透過率調整領域ＣＡは、第１光学シートＯＳ１の短辺に沿って、この短辺の全長に亘って延在し、幅Ｗ１を有している。本実施形態によれば、透過率調整領域ＣＡは、第１光学シートＯＳ１の上面（液晶パネル１２側の表面）の端部に、例えば、黒インクで印刷されたドットパターン（印刷層）ＤＰを有している。図７（ｂ）に示すように、ドットパターンＤＰは、それぞれ第１光学シートＯＳ１の短辺と平行に延びる複数のドット列を有し、各ドット列は、所定のピッチで並んだ多数の円形ドットを有している。各ドット列は、短辺の全長に亘って延在している。複数のドット列は、幅Ｗ１の範囲内で、第１光学シートＯＳ１の短辺側端から、この短辺に垂直な方向に配列されている。なお、図７では円形ドットの例を示したが、ドットの形状はこれに限定されず、多角形、楕円形等であってもよい。
【００２５】
透過率調整領域ＣＡの幅Ｗ１、すなわち、ドットパターンＤＰが設けられている領域の幅Ｗ１は、両面テープＴ１の内周縁とドットパターンＤＰの中央側の端縁との間隔としている。幅Ｗ１は、導光板ＬＧの第２側面ＳＳ２と表示領域ＤＡの端縁との間隔よりも大きく設定している。一例では、幅Ｗ１は、１〜３ｍｍ程度としている。なお、ドットパターンＤＰは、第１光学シートＯＳ１の短辺側端縁にも形成されているが、この部分は、遮光性を有する両面テープＴＰ１で覆われる。導光板ＬＧの第２側面ＳＳ２から出射された光の一部は、両面テープＴＰ１により遮光される。ドットパターンＤＰが設けられた領域の有効幅を、両面テープＴＰ１の内周縁とドットパターンＤＰが設けられた領域の中央側の端縁との間の幅Ｗ１としている。
【００２６】
本実施形態では、ドットパターンＤＰの円形ドットは、同一径のドットを用いている。更に、光学シートＯＳ１の外縁から内側に向かってドットパターンにグラデーションを掛けて透過率を上げていくようにしてもよい。例えば、ドット列におけるドットの配列ピッチを外縁から内側に向かって徐々に大きくし、すなわち、ドットの形成密度を光学シートＯＳ１の外縁から内側に向かって徐々に小さくしている。これにより、ドットパターン（印刷層）ＤＰの境界を視認し難くすることができる。  
導光板ＬＧから出射された光が第１光学シートＯＳ１の透過率調整領域ＣＡを通る際、光の一部はドットパターンＤＰにより遮光され、光の一部のみが第１光学シートを透過する。すなわち、ドットパターン（印刷層）ＤＰは、第１光学シートＯＳ１の透過率よりも低い透過率を有している。これにより、透過率調整領域ＣＡの透過率が低下する。
【００２７】
図６は、液晶表示装置および照明装置の反光源側部分の輝度分布を示している。輝度分布は、透過率調整領域ＣＡがある場合（本実施形態）と、透過率調整領域が無い場合とを比較して示している。図５および図６に示すように、導光板ＬＧの第２側面ＳＳ２と表示領域ＤＡの端縁との隙間を覆う位置に透過率調整領域ＣＡを設けることにより、第１光学シートＯＳ１の反光源側端部の透過率が低減し、この領域を透過する異常発光の光量を低下させることができる。その結果、図６に示すように、表示領域ＤＡの端縁部の輝度は、透過率調整領域がない場合に比較して、大きく低下し、表示領域ＤＡの他の領域の輝度とほぼ等しくなる。これにより、表示領域ＤＡの端縁部が明るく光ってしまうことがなく、液晶表示装置の表示品位が向上する。
【００２８】
以上のように構成された第１の実施形態に係る照明装置２０および液晶表示装置１０によれば、有効表示領域ＤＡ内に導光板ＬＧの少なくとも一端縁を配置することにより、更なる狭額縁化を図ることが可能となる。同時に、光学シートに透過率調整領域を設けることにより、異常光の発光を低減し、表示品位の向上を図ることができる。  
以上のことから、第１の実施形態によれば、一層の狭額縁化が可能な照明装置、およびこれを備える液晶表示装置が得られる。  
なお、第１の実施形態では、透過率調整領域ＣＡを第１光学シートＯＳ１に設ける構成としているが、これに限らず、透過率調整領域ＣＡを第２光学シートＯＳ２に設ける構成としてもよい。例えば、第２光学シートＯＳ２の下面（導光板側の面）の端縁部に、上記と同様のドットパターン（印刷層）を形成し、透過率調整領域ＣＡとする構成を採用することができる。  
また、本実施形態では、透過率調整領域ＣＡは、第１光学シートＯＳ１の反光源側の端縁部の一部に設けられているが、これに限定されない、透過率調整領域ＣＡは第１光学シートＯＳ１の全面に設けられていてもよい。この場合は、光学シートＯＳ１の反光源側の外縁から光源側の外縁に向かって、透過率調整領域ＣＡの透過率を上げていくようにしてもよい。また、透過率調整領域ＣＡは第１光学シートＯＳ１の全面に設けられている場合は、表示領域ＤＡの透過率を下げない程度に印刷層を設けることが好ましい。
【００２９】
次に、変形例および他の実施形態に係る液晶表示装置および照明装置について説明する。なお、以下に説明する変形例および他の実施形態において、前述した第１の実施形態と同一の部分には、同一の参照符号を付してその詳細な説明を省略あるいは簡略化し、第１の実施形態と異なる部分を中心に詳しく説明する。
【００３０】
（第１の実施形態の第１変形例）
図８（ａ）は、第１変形例に係る照明装置２０を概略的に示す平面図、図８（ｂ）は、照明装置２０の反光源側の端部を拡大して、かつ、第２光学シートを省略して示す平面図である。  
第１変形例によれば、照明装置２０の４つの角部を、円弧状にラウンドした形状としている。透過率調整領域ＣＡを形成しているドットパターン（印刷層）ＤＰは、反光源側の短辺部において、角部に沿って長辺側に回り込むように形成、配置されている。
【００３１】
（第１の実施形態の第２変形例）
図１８は、第１の実施形態の第２変形例に係る照明装置の透過率調整領域を概略的に示す平面図である。  
前述した第１の実施形態において、印刷層を形成するドットパターンＤＰは、同一径の円形ドットを所定のピッチで多数個配列した構成としている。これに対して、第２変形例では、図１８に示すように、径の異なる複数の円形ドットを並べてドットパターンＤＰを構成している。ドットパターンＤＰは、それぞれ第１光学シートＯＳ１の短辺と平行に延びる複数のドット列を有し、各ドット列は、所定のピッチで並んだ多数の円形ドットを有している。各ドット列は、短辺の全長に亘って延在している。複数のドット列は、幅Ｗ１の範囲内で、第１光学シートＯＳ１の短辺側端から、この短辺に垂直な方向に配列されている。短辺に隣接する複数のドット列は、それぞれ大径の円形ドットで構成され、これらのドット列から表示領域側に位置するドット列に従って、円形ドットの径が徐々に小さくなっている。このようなドットパターンＤＰを用いる場合でも、透過率調整領域ＣＡの透過率に、グラデーションを付けることができる。すなわち、短辺側の透過率を最も低くし、短辺から透過率調整領域ＣＡの他端縁に向かうに従って透過率を徐々に上がるように調整することができる。
【００３２】
（第１の実施形態の第３変形例）
図１９Ａは、第１の実施形態の第３変形例に係る照明装置の透過率調整領域を概略的に示す平面図である。  
前述した実施形態および変形例において、透過率調整領域の印刷層は、ドットパターンＤＰを用いているが、印刷層は、これに限らず、例えば、ベタの印刷層としてもよい。図１９Ａに示すように、第４変形例によれば、透過率調整領域ＣＡの印刷層は、所定幅Ｗ１を有するベタの印刷層ＰＬとしている。印刷層ＰＬは、光を数パーセント透過可能な色および濃度のインク、例えば、灰色のインクを用いて形成されている。本変形例では、印刷層ＰＬは、全幅に亘り、一定の色、濃度で形成している。印刷層ＰＬは、第１光学シートＯＳ１の透過率よりも低い透過率を有している。これにより、印刷層ＰＬは、光学シートＯＳ１に入射する光の一部を遮光し、光の一部を透過可能であり、透過率調整領域ＣＡにおける光学シートの透過率を調整することができる。なお、印刷層ＰＬの色は、灰色に限らず、適宜、他の色を選択可能である。
【００３３】
（第１の実施形態の第４変形例）
前述した実施形態および変形例において、透過率調整領域の印刷層は、単一色ではなく、ドットパターンそれぞれあるいはベタの印刷層の色を、光学シートＯＳ１の外縁から内側に向かって、透過率が上げるように変えてもよい。この場合、例えば、光学シートＯＳ１の外縁に近づくにつれドットパターンの明度を下げ、光学シートＯＳ１の内側に向かうにつれドットパターンの明度を上げてもよい。また、色の濃さにグラデーションを付けることにより、例えば、光学シートＯＳ１の短辺から透過率調整領域ＣＡの他端縁に向かって印刷層ＰＬの色の濃さを徐々に薄くしていくことにより、印刷層ＰＬの境界を視認し難くすることができる。  
図１９Ｂは、本変形例を第１の実施形態の第３変形例（図１９Ａ）に適用した図である。図１９Ｂに示すように、透過率調整領域ＣＡの他端縁に向かって印刷層ＰＬの色の濃さを徐々に薄くしていってもよい。印刷層ＰＬの透過率は、色の濃さにほぼ対応している。従って、印刷層ＰＬの色の濃さを徐々に薄くしていくと、これに応じて、印刷層ＰＬの透過率も徐々に増加している。
【００３４】
（第２の実施形態）
図９は、第２の実施形態に係る液晶表示装置の長辺部の断面図、図１０は、第２の実施形態に係る照明装置を概略的に示す平面図、図１１は、照明装置の反光源側の端部を拡大して、かつ、第２光学シートを省略して示す平面図である。  
図９に示すように、導光板ＬＧは長辺側の第３側面ＳＳ３および図示しない第４側面を有している。第２の実施形態によれば、導光板ＬＧは、第３側面ＳＳ３および第４側面がそれぞれ表示領域ＤＡの内側に位置する大きさに形成され、かつ、配置されている。
【００３５】
図１０および図１１に示すように、第１光学シートＯＳ１は、前述した透過率調整領域ＣＡに加えて、一対の第２透過率調整領域ＣＡ２を備えている。第２透過率調整領域ＣＡ２は、それぞれ第１光学シートＯＳ１の一対の長辺に沿って幅Ｗ２で設けられている。各第２透過率調整領域ＣＡ２は、第１光学シートＯＳ１の上面（液晶パネル１２側の表面）の長辺側端部に、例えば、黒インクで印刷されたドットパターン（印刷層）ＤＰ２を有している。ドットパターンＤＰ２は、前述した透過率調整領域ＣＡのドットパターンＤＰと同様のパターン構成を用いることができる。  
第２の実施形態において、照明装置２０および液晶表示装置１０の他の構成は、前述した第１の実施形態に係る照明装置および液晶表示装置と同一である。
【００３６】
第２の実施形態によれば、前述した第１の実施形態と同様の作用効果を得ることができる。更に、長辺側の側面が表示領域ＤＡの内側に位置する導光板を用いるとともに、第２透過率調整領域ＣＡ２を設けることにより、異常光の発光を抑制しつつ、一層の狭額縁化を図ることが可能となる。
【００３７】
（第３の実施形態）
図１２は、第３の実施形態に係る液晶表示装置の断面図である。  
図１２に示すように、本実施形態では、照明装置２０は、第２発光シートＯＳ２に重ねて配置された第３光学シートＯＳ３を更に備えている。第３光学シートＯＳ３として、上拡散シートを用いている。第３光学シートＯＳ３は、第１光学シートＯＳ１、第２光学シートＯＳ２と同一の外形寸法（長さ、幅）を有している。従って、第３光学シートＯＳ３は、導光板ＬＧの第２側面ＳＳ２と表示領域ＤＡとの間を覆うように配置された反光源側の端縁部を有している。  
第３の実施形態では、第３光学シートＯＳ３の上記端縁部に透過率調整領域ＣＡが設けられている。透過率調整領域ＣＡは、第３光学シートＯＳ３の上面（液晶パネル側の面）の端縁部に印刷された印刷層（ドットパターン）を有している。印刷層（ドットパターン）は、前述した第１の実施形態と同様のドットパターンを用いている。
【００３８】
第３の実施形態において、照明装置２０および液晶表示装置１０の他の構成は、前述した第１の実施形態に係る照明装置および液晶表示装置と同一である。上記構成の第３の実施形態においても、前述した第１の実施形態と同様の作用効果を得ることができる。
【００３９】
（第４の実施形態）
図１３は、第４の実施形態に係る照明装置の一部を示す斜視図、図１４は、第４の実施形態に係る照明装置を概略的に示す平面図、図１５は、照明装置の反光源側の端部を拡大して、かつ、第２光学シートを省略して示す平面図である。  
本実施形態では、図１３および図１４に示すように、照明装置２０は、反光源側の短辺部１６ｃに形成された凹み（凹部）４０を有している。フレーム１６の短辺部１６ｃの長手方向ほぼ中央部は、内側、すなわち、表示領域ＤＡ側に屈曲し、ほぼ矩形状の凹部４０を規定している。この凹部４０に合わせて、反射シートＲＥ、導光板ＬＧ、第１および第２光学シートＯＳ１、ＯＳ２の反光源側の側縁に、同様の凹部が設けられている。導光板ＬＧの反光源側の第２側面ＳＳ２（図示しない）の中央部に凹部が形成され、この凹部の底面は、表示領域ＤＡの内側に位置しているとともに、短辺部１６ｃの凹部４０の底面に隙間を置いて対向している。
【００４０】
図１４および図１５に示すように、第１光学シートＯＳ１および第２光学シートＯＳ２の反光源側の端縁部は、導光板ＬＧの第２側面ＳＳ２と表示領域ＤＡの端縁との間の領域、および、凹部の底面と表示領域ＤＡの端縁との間の領域を覆っている。本実施形態では、第１光学シートＯＳ１の上記端縁部に、透過率調整領域ＣＡおよび第３透過率調整領域ＣＡ３を設けている。
【００４１】
透過率調整領域ＣＡは、第１光学シートＯＳ１の短辺に沿って幅Ｗ１で設けられている。第３透過率調整領域ＣＡ３は、第１光学シートＯＳ１の短辺に形成された凹部４０の底縁に沿って幅Ｗ３で設けられている。第３透過率調整領域ＣＡ３は、凹部４０の両側に延出している。透過率調整領域ＣＡは、第１光学シートＯＳ１の上面（液晶パネル１２側の表面）の短辺側の端縁部に、例えば、黒インクで印刷されたドットパターン（印刷層）ＤＰを有している。同様に、第３透過率調整領域ＣＡ３は、第１光学シートＯＳ１の上面に印刷されたドットパターン（印刷層）ＤＰ３を有している。ドットパターンＤＰおよびドットパターンＤＰ３は、前述した第１の実施形態におけるドットパターンＤＰと同様のパターン構成を用いることができる。  
第４の実施形態において、照明装置２０および液晶表示装置１０の他の構成は、前述した第１の実施形態に係る照明装置および液晶表示装置と同一である。但し、液晶表示装置において、液晶パネルの一端部に、照明装置２０の凹部４０に対向する凹部が形成される。
【００４２】
第４の実施形態によれば、照明装置の一側縁部に凹部を設けた場合でも、異常光の発光を抑制しつつ、一層の狭額縁化を図ることが可能な照明装置および液晶表示装置を提供することができる。
【００４３】
（第４の実施形態の第１変形例）
図１６は、第４の実施形態の第１変形例に係る照明装置を概略的に示す平面図、図１７は、図１６の一部を拡大し、かつ、第２光学シートを省略して示す照明装置の平面図である。  
図１６および図１７に示すように、第４の実施形態の第１変形例によれば、照明装置２０の凹部４０は、反光源側の短辺部１６ｃの一方の角部に形成されている。第１光学シートＯＳ１および第２光学シートＯＳ２の反光源側の端縁部は、導光板ＬＧの第２側面と表示領域ＤＡの端縁との間の領域、および、凹部４０の底面と表示領域ＤＡの端縁との間の領域を覆っている。第１光学シートＯＳ１の上記端縁部に、透過率調整領域ＣＡおよび第３透過率調整領域ＣＡ３を設けている。
【００４４】
透過率調整領域ＣＡは、第１光学シートＯＳ１の短辺に沿って幅Ｗ１で設けられている。第３透過率調整領域ＣＡ３は、第１光学シートＯＳ１の短辺に形成された凹部４０の底縁に沿って幅Ｗ３で設けられている。第３透過率調整領域ＣＡ３は、凹部４０の一端から表示領域側に延出している。透過率調整領域ＣＡは、第１光学シートＯＳ１の上面（液晶パネル１２側の表面）の短辺側の端縁部に、印刷されたドットパターン（印刷層）ＤＰを有している。同様に、第３透過率調整領域ＣＡ３は、第１光学シートＯＳ１の上面に印刷されたドットパターン（印刷層）ＤＰ３を有している。ドットパターンＤＰおよびドットパターンＤＰ３は、前述した第１の実施形態におけるドットパターンＤＰと同様のパターン構成を用いることができる。  
第４の実施形態の第１変形例において、照明装置２０および液晶表示装置１０の他の構成は、前述した第４の実施形態に係る照明装置および液晶表示装置と同一である。
【００４５】
（第５の実施形態）
図２０は、第５の実施形態に係る液晶表示装置の一部を示す断面図および光学シートのヘイズの調整例を示す図である。  
本実施形態では、図２０に示すように、第１光学シートＯＳ１の透過率調整領域ＣＡは、光学シートのヘイズを調整することにより、透過率を低減する構成としている。すなわち、第１光学シートＯＳ１は、第１光学シートＯＳ１の他の領域のヘイズよりも、透過率調整領域ＣＡのヘイズが高くなるように形成されている。
【００４６】
本実施形態では、全光線透過率における拡散透過率の割合（拡散透過率／全光線透過率）をヘイズという指標で示している。白濁した透明材料ほどヘイズは高く、例えば、ＰＥＴフィルムはヘイズ４％程度であり、ガラスはヘイズ０％である。一例では、第１光学シートＯＳ１は、ヘイズ１０％以下、透過率調整領域ＣＡは、ヘイズ５０％以上としている。このように、透過率調整領域ＣＡのヘイズを高くすることにより、透過率調整領域ＣＡの透過率を他の領域より低くすることができる。  
図２０に特性線Ｈ１で示すように、透過率調整領域ＣＡは、一律のヘイズに形成されていてもよい。また、特性線Ｈ２で示すように、透過率調整領域ＣＡのヘイズは、透過率調整領域ＣＡの境界から短辺側の端まで、徐々に高くなるように形成してもよい。ヘイズを徐々に高くする場合、すなわち、グラデーションを付ける場合、特性線Ｈ２のように直線的に増加する場合に限らない。例えば、図２０に特性線Ｈ３で示すように、ヘイズを放物線を描くように増加するようにしてもよい。
【００４７】
第１光学シートＯＳ１のヘイズの調整は、以下の方法を用いることができる。例えば、光学シートの少なくとも一方の表面に、透明なビーズを含有した塗料を塗布し、ビーズの密度を調整することにより、ヘイズを変化させることができる。ビーズの配置密度が高い程、ヘイズが高くなる。  
あるいは、フォトリソグラフィ法により、光学シートの表面に微細な凹凸を形成し、凹凸の密度を調整することにより、ヘイズを変化させることができる。例えば、透過率調整領域ＣＡの表面に凹凸を形成し、光学シートの他の領域の表面には、凹凸を形成しない。凹凸の密度を透過率調整領域ＣＡの境界近傍から他端縁に向かって上げていくことにより、ヘイズのグラデーションを付けることができる。光学シートの一方の表面に限らず、両面にそれぞれ凹凸を形成するようにしてもよい。
【００４８】
第５の実施形態において、照明装置２０および液晶表示装置１０の他の構成は、前述した第１の実施形態に係る照明装置および液晶表示装置と同一である。  
以上のように構成された第５の実施形態においても、光学シートの透過率調整領域の透過率を低くすることにより、異常光の発光を抑制することができる。従って、第５の実施形態においても、前述した第１の実施形態と同様の作用効果を得ることができる。
【００４９】
本発明のいくつかの実施形態および変形例を説明したが、これらの実施形態および変形例は、例として提示したものであり、発明の範囲を限定することは意図していない。新規な実施形態および変形例は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００５０】
本発明の実施形態として上述した各構成を基にして、当業者が適宜設計変更して実施し得る全ての構成も、本発明の要旨を包含する限り、本発明の範囲に属する。例えば、液晶パネル、照明装置の構成部材、およびフレームの外形状および内形状は、矩形状に限定されることなく、外形あるいは内形のいずれか一方あるいは両方を平面視で多角形状や円形、楕円形、およびこれらを組み合わせた形状等の他の形状としてもよい。液晶表示装置および照明装置は、平坦な形状に限らず、一部あるいは全部が湾曲あるいは傾斜した形状としてもよい。構成部材の材料は、上述した例に限らず、種々選択可能である。  
上述した実施形態によりもたらされる他の作用効果について本明細書の記載から明らかなもの、又は当業者において適宜想到し得るものついては、当然に本発明によりもたらされるものと解される。
【００５１】
以下に、本願出願の特許請求の範囲に記載された発明を付記する。  
（１）  
出射面と、前記出射面と交差する複数の側面とを具備し、少なくとも１つの側面が表示領域の内側に位置した導光板と、  
前記導光板に光を入射する光源装置と、  
前記出射面上に配置され前記表示領域に対向する光学シートと、を備え、  
前記光学シートは、前記少なくとも１つの側面と前記表示領域の端縁との間の領域を覆う端縁部と、前記端縁部に設けられ前記端縁部の透過率を低減する透過率調整領域と、を有している照明装置。
（２）  
前記透過率調整領域は、前記光学シートの透過率よりも低い透過率を有している（１）に記載の照明装置。  
（３）
前記透過率調整領域は、前記光学シートの中央部側の端から前記光学シートの端縁側の端に向かって、透過率が低下している（２）に記載の照明装置。  
（４）  
前記透過率調整領域は、多数のドットを並べたドットパターンを有し、  
前記ドットパターンは印刷層である、（２）又は（３）に記載の照明装置。  
（５）  
前記ドットパターンは、前記光学シートの端縁から光学シートの内側に向かってドット密度が低下している（４）に記載の照明装置。  
（６）  
前記ドットパターンは、前記光学シートの端縁から光学シートの内側に向かってドット径が減少している（５）に記載の照明装置。  
（７）  
前記透過率調整領域は、一定の幅を有するベタの印刷層を有する（２）又は（３）に記載の照明装置。  
（８）  
前記透過率調整領域は、前記光学シートの他の領域のヘイズよりも高いヘイズを有している（１）に記載の照明装置。  
（９）
前記透過率調整領域のヘイズは、前記光学シートの内側の境界から前記光学シートの端縁に向かって徐々に増加している（８）に記載の照明装置。  
（１０）  
表示領域を有する液晶パネルと、  
前記表示領域に対向して設けられた照明装置と、を備え、  
前記照明装置は、  
出射面と、前記出射面と交差する複数の側面とを具備し、少なくとも１つの側面が前記表示領域の内側に位置した導光板と、  
前記導光板に光を入射する光源装置と、  
前記出射面上に設けられ前記表示領域に対向する光学シートと、を備え、  
前記光学シートは、少なくとも１つの側面と前記表示領域の端縁との間の領域を覆う端縁部と、前記端縁部の透過率を低減する透過率調整領域と、を有している液晶表示装置。
【符号の説明】
【００５２】
１０…液晶表示装置、１２…液晶パネル、１４…カバーパネル、  
１６…フレーム、２０…照明装置、  
３０…光源ユニット、３２…配線基板（ＦＰＣ）、３４…ＬＥＤ、４０…凹部  
ＬＧ…導光板、ＯＳ１…第１光学シート、ＯＳ２…第２光学シート、  
ＣＡ…透過率調整領域
【図１】
2019021488.tif 000003
【図２】
2019021488.tif 000004
【図３】
2019021488.tif 000005
【図４】
2019021488.tif 000006
【図５】
2019021488.tif 000007
【図６】
2019021488.tif 000008
【図７】
2019021488.tif 000009
【図８】
2019021488.tif 000010
【図９】
2019021488.tif 000011
【図１０】
2019021488.tif 000012
【図１１】
2019021488.tif 000013
【図１２】
2019021488.tif 000014
【図１３】
2019021488.tif 000015
【図１４】
2019021488.tif 000016
【図１５】
2019021488.tif 000017
【図１６】
2019021488.tif 000018
【図１７】
2019021488.tif 000019
【図１８】
2019021488.tif 000020
【図１９Ａ】
2019021488.tif 000021
【図１９Ｂ】
2019021488.tif 000022
【図２０】
2019021488.tif 000023